(57)【要約】【課題】立った姿勢での洗面台の利用がしやすい洗面化粧ユニットを提供する。【解決手段】洗面化粧ユニット１は、洗面台２と化粧台３とが平面視において一直線状に配置されたユニットである。洗面台２は、洗面カウンター２０と、洗面カウンター２０に設けられた洗面ボウル２１を備える。化粧台３は、化粧カウンター３０と、化粧カウンター３０の下方に位置する脚入れ凹所３１を備える。洗面カウンター２０の上面は、化粧カウンター３０の上面よりも上方に位置する。【選択図】図１
2018050735.tif 000002
【特許請求の範囲】
【請求項１】
洗面台と化粧台とが平面視において一直線状に配置された洗面化粧ユニットであって、
前記洗面台は、洗面カウンターと、前記洗面カウンターに設けられた洗面ボウルとを備え、
前記化粧台は、化粧カウンターと、前記化粧カウンターの下方に位置する脚入れ凹所とを備え、
前記洗面カウンターの上面は、前記化粧カウンターの上面よりも上方に位置することを特徴とする洗面化粧ユニット。
【請求項２】
前記洗面カウンターと前記化粧カウンターとは、上下方向に隙間無く配置されていることを特徴とする請求項１に記載の洗面化粧ユニット。
【請求項３】
前記洗面台は、前記洗面カウンターの下方に位置するキャビネットをさらに備えることを特徴とする請求項１または２に記載の洗面化粧ユニット。
【発明の詳細な説明】
【技術分野】
【０００１】
本発明は、洗面化粧ユニットに関する。
【背景技術】
【０００２】
特許文献１には、シンク付きカウンターと、化粧台とが、並んで配置されたカウンター装置が記載されている。
【０００３】
このカウンター装置では、シンク付きカウンターの上面と、化粧台の天板の上面とが、同じ高さである。
【０００４】
このカウンター装置によれば、使用者は、椅子に着座して化粧台で化粧を行うことができ、また、シンクで洗顔等を行うことができる。
【先行技術文献】
【特許文献】
【０００５】
【特許文献１】特開平５−５６８１７号公報
【発明の概要】
【発明が解決しようとする課題】
【０００６】
しかし、特許文献１に記載のカウンター装置では、シンク付きカウンター（つまり洗面台）の上面が、座って使用する化粧台の天板の上面の高さと同じであるため、立った姿勢で洗顔する場合には、シンクの高さが低くて、利用し難かった。
【０００７】
上記事情に鑑みて、本発明の目的は、立った姿勢での洗面台の利用がしやすい洗面化粧ユニットを提供すること、とする。
【課題を解決するための手段】
【０００８】
本発明に係る一態様の洗面化粧ユニットは、洗面台と化粧台とが平面視において一直線状に配置された洗面化粧ユニットである。
【０００９】
前記洗面台は、洗面カウンターと、前記洗面カウンターに設けられた洗面ボウルとを備える。前記化粧台は、化粧カウンターと、前記化粧カウンターの下方に位置する脚入れ凹所とを備える。
【００１０】
前記洗面カウンターの上面は、前記化粧カウンターの上面よりも上方に位置する。
【発明の効果】
【００１１】
本発明では、立った姿勢での洗面台の利用がしやすい洗面化粧ユニットを提供することができるといった効果が得られる。
【図面の簡単な説明】
【００１２】
【図１】図１は、実施形態１の洗面化粧ユニットを示す斜視図である。
【発明を実施するための形態】
【００１３】
（実施形態１）
図１には、実施形態１の洗面化粧ユニット１が示されている。洗面化粧ユニット１は、洗面台２と化粧台３とが平面視において一直線状に配置されたユニットである。洗面化粧ユニット１は、本実施形態では、部屋の一方向の壁１００に、洗面台２と化粧台３が沿うように配置されている。以下では、洗面台２と化粧台３が並ぶ方向を左右方向とし、壁１００に対して洗面台２及び化粧台３が位置する方向を前方とし、その反対を後方とし、この左右方向及び前後方向に対して直交する方向を上下方向として、各構成について説明する。図１の矢印Ｘで示す方向が右方向であり、矢印Ｙで示す方向が前方向であり、矢印Ｚで示す方向が上方向である。
【００１４】
洗面台２は、洗面カウンター２０と、洗面カウンター２０に設けられた洗面ボウル２１と、水栓２２と、洗面カウンター２０の下方に位置するキャビネット２３とを備える。
【００１５】
洗面カウンター２０は、左右方向に長い矩形板状の天板部２００と、天板部２００の前縁から下方に突出した矩形板状の前板部２０１と、天板部２００の左右の縁から下方に突出した矩形板状の側板部２０２とで構成される。つまり、洗面カウンター２０は、下方及び後方に開口した扁平な箱型である。洗面カウンター２０は、例えば、人工大理石製である。洗面ボウル２１は、本実施形態では、天板部２００の左右方向の中央部に位置する凹んだ部分であり、天板部２００と一体に成形されている。そのため、洗面ボウル２１も人工大理石製である。なお、洗面ボウル２１は、天板部２００の左右方向の中央部に取り付けられた、洗面カウンター２０とは別の部材であってもよい。
【００１６】
本実施形態では、洗面ボウル２１は、洗面ボウル２１の縁２１０を構成する前壁２１１、後壁２１２、及び一対の側壁２１３に加えて、底壁２１４と、立ち上がり壁２１５と、上壁２１６を有する。立ち上がり壁２１５は、底壁２１４の後端から上方に立ち上がった壁であり、上壁２１６は、立ち上がり壁２１５の上端から後方に延びた壁である。
【００１７】
底壁２１４、立ち上がり壁２１５及び上壁２１６は、縁２１０（壁２１１，２１２，２１３）によって囲まれており、縁２１０と一体である。底壁２１４に、排水孔２１７が設けられている。上壁２１６に、水栓２２が設けられている。
【００１８】
縁２１０の上端は、周方向に亘って上下位置が略一定である。洗面ボウル２１の縁２１０の上端は、洗面カウンター２０の上面と面一である。なお、洗面ボウル２１の縁２１０の上端は、洗面カウンター２０の上面よりも若干下方に位置してもよいし、若干上方に位置してもよい。
【００１９】
なお、洗面ボウル２１は、上記の形状に限らず、その他の形状であってもよい。水栓２２は、洗面カウンター２０の天板部２００や壁１００に設けられてもよい。
【００２０】
洗面ボウル２１の縁２１０の上端は、洗面カウンター２０の上面（天板部２００の上面）と面一である。なお、洗面ボウル２１の縁２１０の上端は、洗面カウンター２０の上面よりも若干下方に位置してもよいし、若干上方に位置してもよい。
【００２１】
洗面カウンター２０の天板部２００の上面の高さは、立った姿勢での洗面ボウル２１及び水栓２２の利用がしやすい高さであり、例えば、８００〜９００ｍｍである。これにより、利用者は、洗顔時等の、立って前かがみとなるときの角度が大きくなりにくく、腰への負担が少ない状態で、洗面ボウル２１及び水栓２２を利用することができる。
【００２２】
洗面カウンター２０の上面の後縁には、水返し片２６が左右方向に亘って設けられている。この水返し片２６により、洗面カウンター２０上の水滴が、壁１００側へ流れ落ちることが抑制される。なお、洗面カウンター２０の上面の前縁や左右の縁にも、洗面カウンター２０上の水滴の落下を防ぐためのリブを設けてもよい。
【００２３】
水栓２２は、物体検知センサの検知に応じて吐水・止水を行う自動水栓である。物体検知センサは、例えば、水栓２２に内蔵されており、水栓２２に近づく物体の有無を検知する。これにより、水栓２２は、使用者が水栓２２に手を近付けたときには、湯や水を吐出し、使用者が水栓２２から手を遠ざけたときに、止水を行うことができる。なお、物体検知センサは、水栓２２内に限らず、洗面カウンター２０の天板部２００や洗面ボウル２１やその他の水栓２２に隣接する箇所に設置されてもよい。
【００２４】
キャビネット２３は、洗面カウンター２０の左端部を除いた残りの部分に、左右方向に亘るように設けられている。キャビネット２３は、洗面カウンター２０を支持する。
【００２５】
キャビネット２３は、その前面に、複数（本実施形態では４つ）の前面板２３０を有している。複数の前面板２３０のそれぞれの前面には、取っ手２３１が設けられている。複数の前面板２３０のそれぞれは、引き出し自在または、回転自在である。複数の前面板２３０のそれぞれは、その前面が洗面カウンター２０の前板部２０１の前面と略面一である。
【００２６】
洗面台２は、洗面カウンター２０の天板部２００の後面と、水返し片２６の後面と、左右の側板部２０２の後面が壁１００に当たるように、床に設置される。
【００２７】
洗面化粧ユニット１は、洗面台２の上方に位置する洗面用鏡２４をさらに備える。洗面用鏡２４は、本実施形態では１枚鏡である。なお、洗面用鏡２４は、三面鏡でもよい。洗面用鏡２４は、壁１００のうち、洗面カウンター２０よりも上方の部分に取り付けられている。洗面用鏡２４は、本実施形態では、洗面台２とは別体に設けられているが、これに限定されず、例えば、洗面カウンター２０の後縁から立ち上がった支持壁に一体に設けられてもよい。
【００２８】
化粧台３は、化粧カウンター３０と、化粧カウンター３０の下方に位置する脚入れ凹所３１と、化粧カウンター３０の下方に位置するキャビネット３２及び引き出し３３とを備える。
【００２９】
化粧カウンター３０は、左右方向に長い平面視矩形状の板体である。化粧カウンター３０の幅（前後方向の長さ）は、洗面カウンター２０の幅（前後方向の長さ）と同じである。化粧カウンター３０は、例えば、木製である。化粧カウンター３０の上面は、洗面カウンター２０の上面よりも低く、洗面カウンター２０の下面と略同じ高さである。化粧カウンター３０の上面の高さは、例えば、６５０〜７５０ｍｍである。洗面カウンター２０の上面は、化粧カウンター３０の上面よりも、およそ１００〜２００ｍｍほど高く位置する。
【００３０】
脚入れ凹所３１は、化粧カウンター３０の左右方向の中央部の下方に位置する中央凹所３１０と、化粧カウンター３０の洗面台２側の端部の下方に位置する拡張凹所３１１とで構成されている。中央凹所３１０と拡張凹所３１１とは連通しており、中央凹所３１０と拡張凹所３１１との間には仕切りが存在していない。中央凹所３１０と拡張凹所３１１のそれぞれの奥行き（前後方向の長さ）は、化粧カウンター３０の幅（前後方向の長さ）と同じである。
【００３１】
キャビネット３２は、化粧カウンター３０の洗面台２側とは反対側の端部（つまり左端部）の下方に位置している。キャビネット３２は、化粧カウンター３０の左端部を支持する。キャビネット３２は、化粧カウンター３０の下方において、脚入れ凹所３１の左方に並んで位置する。
【００３２】
キャビネット３２は、その前面に、複数（本実施形態では２つ）の前面板３２０を有している。各前面板３２０の前面には、取っ手３２１が設けられている。各前面板３２０は、引き出し自在または、回転自在である。各前面板３２０は、キャビネット２３の各前面板２３０に対して、前面同士が略面一である。
【００３３】
引き出し３３は、化粧カウンター３０の下面に左右方向に亘るように設けられている。本実施形態では、引き出し３３は、キャビネット３２の上方に位置する第一引き出し３３０と、中央凹所３１０の上方に位置する第二引き出し３３１と、拡張凹所３１１の上方に位置する第三引き出し３３２とで構成されている。
【００３４】
化粧台３は、化粧カウンター３０の後面が壁１００に当たり、化粧カウンター３０の右端部が洗面カウンター２０の左端部の下方に位置するように、床に設置される。化粧カウンター３０の右端部は、洗面台２のキャビネット２３に固定されており、これにより、化粧カウンター３０の右端部は、洗面台２のキャビネット２３によって支持されている。化粧カウンター３０の右端部の上面には、洗面カウンター２０の左の側板部２０２の下端が当たっている。これにより、化粧カウンター３０と洗面カウンター２０とは、上下方向に隙間無く設置される。
【００３５】
なお、化粧カウンター３０の右端部の上面と洗面カウンター２０の左の側板部２０２の下面との間に、カウンター２０，３０とは別部材の閉塞部材を挟み込むことで、化粧カウンター３０と洗面カウンター２０とを、上下方向に隙間無く設置してもよい。
【００３６】
洗面化粧ユニット１は、化粧台３の上方に位置する化粧用鏡３４をさらに備える。化粧用鏡３４は、壁１００のうち、化粧カウンター３０よりも上方の部分に取り付けられている。化粧用鏡３４は、本実施形態では、化粧台３とは別体に設けられているが、これに限定されず、例えば、化粧カウンター３０の後端から立ち上がった支持壁に一体に設けられてもよい。
【００３７】
化粧用鏡３４は、本実施形態では三面鏡である。三面鏡は、収納ボックス３４０と、収納ボックス３４０の正面側に回転自在に取り付けられた３つの鏡３４１を有する。収納ボックス３４０の前面のうち、隣接する２つの鏡３４１，３４１の隙間の部分にはそれぞれ、ＬＥＤ等の照明装置３４２が設置されている。
【００３８】
洗面化粧ユニット１は、脚入れ凹所３１に出し入れ自在な椅子３５をさらに備える。なお、椅子３５には、キャスターが設けられていることが好ましい。
【００３９】
以上説明した洗面化粧ユニット１は、例えば、以下のように利用することができる。
【００４０】
利用者は、椅子３５に座り、化粧台３の中央凹所３１０に両脚を入れて、化粧用鏡３４の前で化粧を行うことができる。
【００４１】
利用者は、化粧の前後や途中に手を洗いたい場合には、水栓２２に手を伸ばすことで、物体検知センサが利用者の手を検知して水栓２２が吐水を行うため、水栓２２に触れることなく、手を洗うことができる。このとき、利用者は、椅子３５を洗面台２側にずらして、化粧台３の洗面台２側の端部の下方の拡張凹所３１１に両脚が入るように、移動することができる。そのため、利用者は、椅子３５に座ったまま、直線的な短い移動で、手を洗うことができる。
【００４２】
また、利用者は、化粧前や、化粧落としの後に、洗面台２の洗面ボウル２１の前方に立ち前かがみになって、洗顔を行うこともできる。このとき、洗面ボウル２１の縁２１０の上端が、化粧カウンター３０の上面よりも上方に位置するため、洗面ボウル２１の位置を高くでき、立った姿勢での洗面台２の利用がしやすい。
【００４３】
また、本実施形態の洗面化粧ユニット１では、洗面カウンター２０と化粧カウンター３０とが上下方向に隙間無く設置されているため、化粧カウンター３０の上のごみやほこりが、洗面カウンター２０と化粧カウンター３０との間に入り込むことを防止できる。
【００４４】
また、本実施形態の洗面化粧ユニット１では、洗面カウンター２０の下方にキャビネット２３を設けているため、洗面カウンター２０の下方を収納スペースとして有効に活用できる。また、本実施形態の洗面化粧ユニット１では、洗面ボウル２１のうち天板部２００よりも下方に突出する部分をキャビネット２３内に収めることができて、見栄えがよい。
【００４５】
（変更例）
続いて、上述した実施形態１の洗面化粧ユニット１の変更例について説明する。
【００４６】
洗面カウンター２０と化粧カウンター３０とは、上下方向に隙間をおいて位置してもよい。
【００４７】
洗面台２は、キャビネット２３を備えなくてもよい。
【００４８】
化粧台３の脚入れ凹所３１は、中央凹所３１０のみで構成され、拡張凹所３１１を含まなくてもよい。この場合、拡張凹所３１１には、例えばキャビネットが設置される。
【００４９】
洗面台２の水栓２２は、自動水栓に限らず、手動で操作する操作部を有してもよい。
【００５０】
（効果）
以上説明した実施形態１の洗面化粧ユニット１のように、本発明に係る第一の態様の洗面化粧ユニット１では、下記の第一の構成を備えることを特徴とする。
【００５１】
すなわち、第一の態様の洗面化粧ユニット１は、洗面台２と化粧台３とが平面視において一直線状に配置されたユニットである。洗面台２は、洗面カウンター２０と、洗面カウンター２０に設けられた洗面ボウル２１とを備える。化粧台３は、化粧カウンター３０と、化粧カウンター３０の下方に位置する脚入れ凹所３１とを備える。洗面カウンター２０の上面は、化粧カウンター３０の上面よりも上方に位置する。
【００５２】
上記第一の構成を備えることで、第一の態様の洗面化粧ユニット１では、従来例のように化粧台と洗面台の上面の高さが互いに同じものに比べて、洗面ボウル２１の位置を高くできる。したがって、第一の態様の洗面化粧ユニット１では、洗顔時などの立って前かがみとなった姿勢での洗面台２の利用がしやすい。
【００５３】
また、実施形態１の洗面化粧ユニット１のように、本発明に係る第二の態様の洗面化粧ユニット１では、上記の第一の構成に加えて、下記の第二の構成を備える。
【００５４】
すなわち、第二の態様の洗面化粧ユニット１では、洗面カウンター２０と化粧カウンター３０とは、上下方向に隙間無く配置されている。
【００５５】
上記の第二の構成を備えることで、第二の態様の洗面化粧ユニット１では、化粧カウンター３０の上のごみやほこりが、洗面カウンター２０と化粧カウンター３０との間に入り込むことを防止できる。
【００５６】
また、実施形態１の洗面化粧ユニット１のように、本発明に係る第三の態様の洗面化粧ユニット１では、上記の第一または第二の態様の洗面化粧ユニット１の構成に加えて、下記の第三の構成を備える。
【００５７】
すなわち、第三の態様の洗面化粧ユニット１では、洗面台２は、洗面カウンター２０の下方に位置するキャビネット２３をさらに備える。
【００５８】
上記の第三の構成を備えることで、第三の態様の洗面化粧ユニット１では、洗面カウンター２０の下方の空間を、収納スペースとして効果的に利用することができる。
【００５９】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６０】
１      洗面化粧ユニット
２      洗面台
２０    洗面カウンター
２１    洗面ボウル
２３    キャビネット
３      化粧台
３０    化粧カウンター
３１    脚入れ凹所
【図１】
2018050735.tif 000003